(57)【要約】【課題】アプリケーションの動作による消費電力を低減することが可能な電子機器を提供すること。【解決手段】携帯電話機１は、表示部２１に一定の電力Ｗｃが供給されているか否かを判断する判断部４５２と、判断部４５２により表示部２１に一定の電力Ｗｃが供給されていないと判断された場合に、アプリケーション制御部４５１による制御の一部又は全部をベースバンド回路部４２により実行されるように、アプリケーションの動作についての制御をアプリケーション制御部４５１からベースバンド回路部４２に切り替える切替部４５３と、切替部４５３によりアプリケーション制御部４５１からベースバンド回路部４２に切り替えた場合に、アプリケーション制御部４５１に対する電力Ｗ２の供給を停止する電力供給停止部４５４と、を備える。【選択図】図２
2010178239.tif 000002
【特許請求の範囲】
【請求項１】
高周波信号の処理を行う高周波処理手段と、
第１の電力で駆動され、前記高周波処理手段による高周波信号の処理に基づいて、通信の制御を行う第１の制御手段と、
所定のアプリケーションの動作に応じて所定の画像が表示される表示手段と、
前記第１の電力よりも大きい電力である第２の電力により駆動され、前記アプリケーションの動作についての制御を行う第２の制御手段と、
前記表示手段に一定の電力が供給されているか否かを判断する判断手段と、
前記判断手段により前記表示手段に前記一定の電力が供給されていないと判断された場合に、前記第２の制御手段による制御の一部又は全部を前記第１の制御手段により実行されるように、前記アプリケーションの動作についての制御を前記第２の制御手段から前記第１の制御手段に切り替える切替手段と、
前記切替手段により前記第２の制御手段から前記第１の制御手段に切り替えた場合に、前記第２の制御手段に対する前記第２の電力の供給を停止する電力供給停止手段とを備えることを特徴とする電子機器。
【請求項２】
前記第２の制御手段に対する前記第２の電力の供給を開始する電力供給開始手段を更に備え、
前記切替手段は、
前記判断手段により前記表示手段に前記一定の電力が供給されていると判断され、前記電力供給開始手段により前記第２の制御手段に対する前記第２の電力の供給が開始された場合に、前記アプリケーションの動作についての制御を前記第１の制御手段から前記第２の制御手段に切り替えることを特徴とする請求項１に記載の電子機器。
【請求項３】
前記第１の制御手段は、
前記切替手段により前記第２の制御手段による制御の一部又は全部を実行するように切り替えられた場合に、前記高周波処理手段を介して間欠的に取得する更新情報に基づいて前記アプリケーションの動作を制御することを特徴とする請求項１に記載の電子機器。
【発明の詳細な説明】
【技術分野】
【０００１】
本発明は、アプリケーションの動作に応じて、画像を表示する表示手段を有する電子機器に関する。
【背景技術】
【０００２】
近年、携帯電話機等の電子機器の高機能化が進み、様々なアプリケーションを動作させる電子機器が提案されている。特に、液晶ディスプレイ等の表示手段を有する携帯電話機において、表示手段の待ち受け画面に複数のアプリケーションの動作画面を表示し、これらのアプリケーションの動作を簡易な操作で実行する技術が提案されている（例えば、特許文献１参照）。
【０００３】
特許文献１には、待ち受け画面上に複数のアプリケーションを起動し、起動したアプリケーションにより様々な情報の提供等の機能を実行する移動通信端末が提案されている。
【先行技術文献】
【特許文献】
【０００４】
【特許文献１】特開２００８−２９５０１５号公報
【発明の概要】
【発明が解決しようとする課題】
【０００５】
しかしながら、特許文献１に記載された移動通信端末では、待ち受け画面上に複数のアプリケーションを起動しているため、これらのアプリケーションの起動を維持した状態を継続すると、消費電力が多くなり、その結果バッテリを消耗してしまうという問題があった。
【０００６】
本発明は、アプリケーションの動作による消費電力を低減することが可能な電子機器を目的とする。
【課題を解決するための手段】
【０００７】
本発明に係る電子機器は、上記課題を解決するために、高周波信号の処理を行う高周波処理手段と、第１の電力で駆動され、前記高周波処理手段による高周波信号の処理に基づいて、通信の制御を行う第１の制御手段と、所定のアプリケーションの動作に応じて所定の画像が表示される表示手段と、前記第１の電力よりも大きい電力である第２の電力により駆動され、前記アプリケーションの動作についての制御を行う第２の制御手段と、前記表示手段に一定の電力が供給されているか否かを判断する判断手段と、前記判断手段により前記表示手段に前記一定の電力が供給されていないと判断された場合に、前記第２の制御手段による制御の一部又は全部を前記第１の制御手段により実行されるように、前記アプリケーションの動作についての制御を前記第２の制御手段から前記第１の制御手段に切り替える切替手段と、前記切替手段により前記第２の制御手段から前記第１の制御手段に切り替えた場合に、前記第２の制御手段に対する前記第２の電力の供給を停止する電力供給停止手段とを備えることを特徴とする。
【０００８】
また、前記第２の制御手段に対する前記第２の電力の供給を開始する電力供給開始手段を更に備え、前記切替手段は、前記判断手段により前記表示手段に前記一定の電力が供給されていると判断され、前記電力供給開始手段により前記第２の制御手段に対する前記第２の電力の供給が開始された場合に、前記アプリケーションの動作についての制御を前記第１の制御手段から前記第２の制御手段に切り替えることが好ましい。
【０００９】
また、前記第１の制御手段は、前記切替手段により前記第２の制御手段による制御の一部又は全部を実行するように切り替えられた場合に、前記高周波処理手段を介して間欠的に取得する更新情報に基づいて前記アプリケーションの動作を制御することが好ましい。
【発明の効果】
【００１０】
本発明によれば、アプリケーションの動作による消費電力を低減することが可能な電子機器を提供することができる。
【図面の簡単な説明】
【００１１】
【図１】本発明に係る電子機器の一例である携帯電話機の外観斜視図である。
【図２】携帯電話機の機能を示す機能ブロック図である。
【図３】表示部の待ち受け画面上にウィジェットアプリケーションが起動している状態の一例を示す図である。
【図４】本実施形態の携帯電話機のソフトウェアとハードウェアの機能を示すブロック図である。
【図５】本実施形態の携帯電話機におけるウィジェットアプリケーションの制御の流れについて示すフローチャートである。
【発明を実施するための形態】
【００１２】
以下、本発明の実施の形態について説明する。図１は、本発明に係る電子機器の一例である携帯電話機１の外観斜視図を示す。なお、図１は、いわゆる折り畳み型の携帯電話機の形態を示しているが、本発明に係る携帯電話機の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ）でもよい。
【００１３】
携帯電話機１は、操作部側筐体２と、表示部側筐体３と、を備える。操作部側筐体２は、表面部に、操作部１１と、携帯電話機１の使用者が通話時に発した音声が入力されるマイク１２と、を備える。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５と、から構成されている。
【００１４】
また、表示部側筐体３は、表面部に、各種情報を表示するための表示部２１と、通話の相手側の音声を出力するスピーカ２２と、を備える。
【００１５】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００１６】
図２は、携帯電話機１の機能を示す機能ブロック図である。携帯電話機１は、図２に示すように、操作部１１と、マイク１２と、表示部２１（表示手段）と、メインアンテナ４０と、ＲＦ回路部４１（高周波処理手段）と、ベースバンド回路部４２（第１の制御手段）と、音声処理部４３と、メモリ４４と、主制御部４５と、電源制御回路部５０と、充電池５１と、を備える。
【００１７】
表示部２１は、ＬＣＤ（Ｌｉｑｕｉｄ  Ｃｒｙｓｔａｌ  Ｄｉｓｐｌａｙ）や有機ＥＬ（Ｅｌｅｃｔｏｒｏ  Ｌｕｍｉｎｅｓｃｅｎｃｅ）によって構成され、各種情報に基づく画像や動画等を表示する。また、表示部２１は、後述のウィジェットアプリケーション４４１（所定のアプリケーション）の動作に応じてウィジェットの画像（所定の画像）が表示される表示手段として機能する。
【００１８】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であってもよい。また、メインアンテナ４０は、第１の使用周波数帯で外部装置と通信を行い、ＧＰＳ通信のための第２の使用周波数帯に対応できるアンテナを別途設けてもよい。
【００１９】
ＲＦ回路部４１は、高周波信号の処理を行う回路である。具体的には、ＲＦ回路部４１は、メインアンテナ４０によって受信した高周波信号を復調処理し、処理後の信号をベースバンド回路部４２に供給する。また、ＲＦ回路部４１は、ベースバンド回路部４２から供給されたベースバンド信号を変調処理し、メインアンテナ４０を介して外部装置（基地局）に送信する。
【００２０】
ベースバンド回路部４２は、ＲＦ回路部４１による高周波信号の処理に基づいて、通信の制御を行う。具体的には、ベースバンド回路部４２は、ＲＦ回路部４１により復調処理されたベースバンド信号内の情報を分離し、分離された情報をデコード処理すると共に、アナログ変換する。また、ベースバンド回路部４２は、デジタル変換された音声信号をエンコードしてベースバンド信号を生成し、生成されたベースバンド信号をＲＦ回路部４１に供給する。
【００２１】
更に、ベースバンド回路部４２には、タイマが内蔵されている。そして、ベースバンド回路部４２は、タイマの計時により一定の周期でＲＦ回路部４１及びメインアンテナ４０を介して、間欠的に外部装置（基地局）との通信を行う。
【００２２】
音声処理部４３は、主制御部４５の制御にしたがって、ベースバンド回路部４２から供給された信号に対して所定の音声処理（例えば、アナログ変換）を行い、処理後の信号をスピーカ２２に出力する。スピーカ２２は、音声処理部４３から供給された信号を外部に出力する。
【００２３】
また、音声処理部４３は、主制御部４５の制御にしたがって、マイク１２から入力された信号を処理（例えば、デジタル変換）し、処理後の信号をベースバンド回路部４２に出力する。
【００２４】
メモリ４４は、例えば、ワーキングメモリを含み、主制御部４５による演算処理に利用される。また、メモリ４４には、複数のアプリケーションや当該アプリケーションが必要とする各種のテーブルや各種情報等が記憶されている。具体的には、メモリ４４には、後述するウィジェットに対応するアプリケーションプログラム（以下、ウィジェットアプリケーションという）４４１が記憶されている。また、メモリ４４は、着脱可能な外部メモリを兼ねていてもよい。
【００２５】
主制御部４５は、携帯電話機１の全体を制御しており、中央処理装置（ＣＰＵ）等を用いて構成される。また、機能的に視ると主制御部４５は、アプリケーション制御部４５１（第２の制御手段）と、判断部４５２（判断手段）と、切替部４５３（切替手段）と、電力供給停止部４５４（電力供給停止手段）と、電力供給開始部４５５（電力供給開始手段）と、を備える。
【００２６】
電源制御回路部５０は、充電池５１が接続されており、充電池５１から供給される電源電圧を所定の電源電圧に変換し、変換後の電源電圧を携帯電話機１の各部に供給する。
【００２７】
次に、図２及び図３を参照して、ウィジェットアプリケーション４４１の制御について説明する。ここで、ウィジェットアプリケーションとは、表示部２１のデスクトップ画面や待ち受け画面上にウィジェットと呼ばれる操作画面の画像を表示し、表示されたウィジェットを操作部１１により操作することで各種機能へのアクセスを提供するアプリケーションである。ウィジェットアプリケーション４４１としては、例えば、最新ニュース表示、天気表示、時刻表示、カレンダー、辞書、地図、電卓、付箋、写真ビューワ、翻訳機、ウェブ検索等が挙げられる。
【００２８】
図３は、表示部２１の待ち受け画面上にウィジェットアプリケーション４４１が起動している状態の一例を示す図である。図３に示すように、表示部２１の待ち受け画面上には、ウィジェットアプリケーション４４１として、ウィジェットアプリケーションＡ、ウィジェットアプリケーションＢ及びウィジェットアプリケーションＣが起動している。ウィジェットアプリケーションＡは、ウェブ検索を行うアプリケーションであり、ウィジェットアプリケーションＢは、天気表示を行うアプリケーションであり、ウィジェットアプリケーションＣは、ニュース表示を行うアプリケーションである。
【００２９】
そして、ユーザは、操作部１１からの入力操作により、これらのウィジェットアプリケーションＡ〜Ｃを操作して、アプリケーションＡ〜Ｃの所望の機能を実行することができる。このように、ウィジェットアプリケーション４４１は、操作部１１を操作してアプリケーションを別途起動する必要がなく、表示部２１のデスクトップ画面や待ち受け画面上から簡易に所望のアプリケーションの機能を実行することができる。
【００３０】
図２に戻り、アプリケーション制御部４５１は、ウィジェットアプリケーション４４１の動作についての制御を行う。具体的には、アプリケーション制御部４５１は、ウィジェットアプリケーション４４１の起動及び終了、更新情報の取得等を管理する。ここで、更新情報とは、ウィジェットアプリケーション４４１の動作させるための情報であり、特に制限されないが、例えば最新ニュースの情報や天気情報、電子メールの受信等である。そして、アプリケーション制御部４５１は、主制御部４５に内蔵されるタイマにより一定の周期で外部機器（基地局）からウィジェットアプリケーション４４１の更新情報を取得する。
【００３１】
また、アプリケーション制御部４５１は、ベースバンド回路部４２に供給される電力Ｗ１よりも大きい電力である電力Ｗ２（第２の電力）で駆動される。
【００３２】
判断部４５２は、表示部２１に一定の電力Ｗｃが供給されているか否かを判断する。
【００３３】
切替部４５３は、判断部４５２により表示部２１に一定の電力Ｗｃが供給されていないと判断した場合に、アプリケーション制御部４５１によるウィジェットアプリケーション４４１の制御の一部又は全部をベースバンド回路部４２により実行されるように切り替える。つまり、切替部４５３は、ウィジェットアプリケーション４４１の動作についての制御をアプリケーション制御部４５１からベースバンド回路部４２に切り替える。
【００３４】
ここで、以下の説明では、アプリケーション制御部４５１によりウィジェットアプリケーション４４１の制御を実行させる設定を高速モードという。高速モードは、アプリケーション制御部４５１によりウィジェットアプリケーション４４１の制御を実行させるため、ウィジェットアプリケーション４４１の各種機能の処理等を実行できる状態である。
【００３５】
また、アプリケーション制御部４５１によるウィジェットアプリケーション４４１の制御の全部又は一部を停止して、ウィジェットアプリケーション４４１の制御の全部又は一部をベースバンド回路部４２に切り替えて実行させる設定を低速モードという。低速モードは、ウィジェットアプリケーション４４１の制御の全部又は一部をベースバンド回路部４２により行うため、ウィジェットアプリケーション４４１の各種機能が制限された状態となる。
【００３６】
そして、「高速モード」及び「低速モード」の表現を用いた場合、上述した切替部４５３における制御は、「切替部４５３は、ウィジェットアプリケーション４４１の動作についての制御を高速モードから低速モードに移行する」と換言できる。
【００３７】
切替部４５３は、以下の（１）の条件が成立したと判断した場合に、ウィジェットアプリケーション４４１の動作についての制御を高速モードから低速モードに移行する。
（１）表示部２１のバックライトが消灯している。
【００３８】
電力供給停止部４５４は、切替部４５３によりアプリケーション制御部４５１からベースバンド回路部４２に切り替えた場合、すなわち高速モードから低速モードに切り替えた場合に、アプリケーション制御部４５１に対する電力Ｗ２の供給を停止する。
【００３９】
電力供給開始部４５５は、アプリケーション制御部４５１に対する電力Ｗ２の供給を開始する。
【００４０】
そして、切替部４５３は、以下の（２）の条件を満たす場合に、ウィジェットアプリケーション４４１の動作についての制御をベースバンド回路部４２からアプリケーション制御部４５１に切り替える。
（２）表示部２１のバックライトが点灯している。
【００４１】
また、ベースバンド回路部４２は、切替部４５３によりアプリケーション制御部４５１による制御の一部又は全部を実行するように切り替えられた場合、すなわち高速モードから低速モードに移行した場合に、ＲＦ回路部４１を介して間欠的に取得する更新情報に基づいて、ウィジェットアプリケーション４４１の動作を制御する。
【００４２】
具体的には、ベースバンド回路部４２は、ベースバンド回路部４２に内蔵されるタイマの計時により、一定の周期で間欠的にウィジェットアプリケーション４４１の更新情報を取得する。そして、ベースバンド回路部４２は、取得された更新情報を用いてウィジェットアプリケーション４４１の動作を制御する。
【００４３】
図４は、本実施形態の携帯電話機１のソフトウェアとハードウェアの機能を示すブロック図である。図４に示すように、ソフトウェア１００は、アプリケーションレイヤ１０１と、ポーティングレイヤ１０２と、プラットフォームレイヤ１０３とを備える。また、ハードウェア１１０は、携帯電話機１のハードウェア全体に相当するが、説明の簡略化のため、ハードウェア１１０として、ベースバンド回路部４２及び主制御部４５について説明する。
【００４４】
アプリケーションレイヤ１０１は、前述のウィジェットアプリケーション４４１を含む各種アプリケーションプログラムを制御するレイヤである。
【００４５】
ポーティングレイヤ１０２は、アプリケーションプログラムを制御するアプリケーションレイヤ１０１と、ハードウェアを制御するプラットフォームレイヤ１０３とを統合するレイヤである。
【００４６】
プラットフォームレイヤ１０３は、ハードウェアを制御するレイヤである。そして、プラットフォームレイヤ１０３は、アプリケーション制御部４５１（主制御部４５）からベースバンド回路部４２へウィジェットアプリケーション４４１の動作についての制御を切り替える。すなわち、プラットフォームレイヤ１０３は、前述の切替部４５３に相当する。
【００４７】
次に、本実施形態の携帯電話機１におけるウィジェットアプリケーション４４１の制御の流れについて図５のフローチャートを参照して説明する。
【００４８】
ステップＳ１において、アプリケーション制御部４５１は、ウィジェットアプリケーション４４１を高速モードで起動する。
【００４９】
ステップＳ２において、判断部４５２は、表示部２１のバックライトが点灯しているか否か、すなわち表示部２１に一定の電力Ｗｃが供給されているか否かを判断する。一定の電力Ｗｃが供給されている場合（Ｙｅｓ）には、ステップＳ３へ移る。一方、一定の電力Ｗｃが供給されていない場合（Ｎｏ）には、ステップＳ４へ移る。
【００５０】
ステップＳ３において、切替部４５３は、高速モードを維持し、ウィジェットアプリケーション４４１の動作の制御をアプリケーション制御部４５１により行わせる。すなわち、アプリケーション制御部４５１の機能を使用する。
【００５１】
ステップＳ４において、切替部４５３は、高速モードから低速モードへ切り替えて、ウィジェットアプリケーション４４１の動作の制御をベースバンド回路部４２により行わせる。すなわち、アプリケーション制御部４５１の機能を一部停止し、ベースバンド回路部４２の機能を流用する。
【００５２】
このように本実施形態の携帯電話機１によれば、表示部２１に一定の電力Ｗｃが供給されているか否かを判断する。そして、表示部２１に一定の電力Ｗｃが供給されていないと判断された場合に、アプリケーション制御部４５１による制御の一部又は全部をベースバンド回路部４２により実行されるように、ウィジェットアプリケーション４４１の動作についての制御をアプリケーション制御部４５１からベースバンド回路部４２に切り替える。そして、アプリケーション制御部４５１からベースバンド回路部４２に切り替えた場合に、アプリケーション制御部４５１に対する電力Ｗ２の供給を停止する。
【００５３】
したがって、表示部２１に一定の電力が供給されていない場合には、アプリケーション制御部４５１に対する電力Ｗ２の供給を停止するため、アプリケーション制御部４５１による電力の消費を低減することができる。また、ウィジェットアプリケーション４４１の動作についての制御は、アプリケーション制御部４５１からベースバンド回路部４２に切り替えられているため、ウィジェットアプリケーション４４１の動作を妨げることがない。なお、ウィジェットアプリケーション４４１の動作を停止してしまうと、その後、ウィジェットアプリケーション４４１の動作を開始させる際に、各ウィジェットアプリケーション４４１の更新処理に時間がかかり、且つ電力を消費してしまうため、ウィジェットアプリケーション４４１の操作性を損ねてしまう。
【００５４】
また、本実施形態の携帯電話機１によれば、表示部２１に一定の電力Ｗｃが供給されていると判断され、アプリケーション制御部４５１に対する電力Ｗ２の供給が開始された場合に、ウィジェットアプリケーション４４１の動作についての制御をベースバンド回路部４２からアプリケーション制御部４５１に切り替える。
【００５５】
したがって、一旦ベースバンド回路部４２にウィジェットアプリケーション４４１の動作についての制御を切り替えた場合であっても、携帯電話機１の動作状態に応じて、再びウィジェットアプリケーション４４１の動作についての制御をベースバンド回路部４２からアプリケーション制御部４５１に切り替えて、ウィジェットアプリケーション４４１の動作を好適に制御することができる。
【００５６】
また、本実施形態の携帯電話機１によれば、ベースバンド回路部４２は、アプリケーション制御部４５１による制御の一部又は全部を実行するように切り替えられた場合に、ＲＦ回路部４１を介して間欠的に取得する更新情報に基づいて、ウィジェットアプリケーション４４１の動作を制御する。
【００５７】
したがって、ウィジェットアプリケーション４４１の動作についての制御をベースバンド回路部４２により行う場合であっても、ベースバンド回路部４２が間欠的に取得する更新情報によりウィジェットアプリケーション４４１の動作を好適に制御することができる。
【００５８】
以上、本発明の実施形態について説明したが、本発明は上述した実施形態に制限されるものではなく、適宜変更が可能である。例えば、上述した実施形態では、ＲＦ回路部４１と、ベースバンド回路部４２とを別々の構成として記述したが、ＲＦ回路部４１と、ベースバンド回路部４２とが一体となったＩＣ（Ｉｎｔｅｇｒａｔｅｄ  Ｃｉｒｃｕｉｔ）で構成されていてもよい。
【００５９】
また、切替部４５３による高速モードから低速モードへの切り替えは、上記の（１）の条件と下記（３）〜（７）の条件の全てが成立した場合としてもよい。
（３）ＲＦ回路部４１が動作していない、
（４）アプリケーション制御部４５１がウィジェットアプリケーション４４１を自動更新した後、時間Ｔ１以上経過している、
（５）主制御部４５がファイルアクセス中ではない、
（６）主制御部４５がファイルアクセスから時間Ｔ１以上経過している、
（７）アプリケーション制御部４５１がウィジェットアプリケーション４４１を起動した後、Ｔ１以上経過している。
ここで、時間Ｔ１は、数十秒から数分の範囲内で設定されることが好ましい。
【００６０】
また、切替部４５３は、上述した（１）、（３）〜（７）の条件に替えて、以下の（８）又は（９）の条件を用いてもよい。
（８）ウィジェットアプリケーション４４１がＮｏｎＣｕｒｒｅｎｔ状態（ウィジェットの画像の上に、別の画面又はポップアップが重畳して表示されている状態）である、
（９）ウィジェットアプリケーション４４１が時間Ｔ２の間操作されなかった。
ここで、時間Ｔ２は、数分から数十分の範囲で設定されることが好ましい。
【００６１】
また、切替部４５３による低速モードから高速モードへの切り替えは、上記の（２）の条件と下記（１０）、（１１）のいずれか一つが成立した場合としてもよい。
（１０）主制御部４５が操作部１１からの操作を受け付けた、
（１１）ベースバンド回路部４２によりウィジェットアプリケーション４４１が自動更新された。
【００６２】
また、上述した実施形態において、電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン、携帯ゲーム装置等であってもよい。
【符号の説明】
【００６３】
１  携帯電話機（電子機器）
２１  表示部（表示手段）
４１  ＲＦ回路部（高周波処理手段）
４２  ベースバンド回路部（第１の制御手段）
４４１  ウィジェットアプリケーション（所定のアプリケーション）
４５  主制御部
４５１  アプリケーション制御部（第２の制御手段）
４５２  判断部（判断手段）
４５３  切替部（切替手段）
４５４  電力供給停止部（電力供給停止手段）
４５５  電力供給開始部（電力供給開始手段）
【図１】
2010178239.tif 000003
【図２】
2010178239.tif 000004
【図３】
2010178239.tif 000005
【図４】
2010178239.tif 000006
【図５】
2010178239.tif 000007